(57)【特許請求の範囲】
【請求項１】
外部装置に接続可能な接続部と、
画像を表示するディスプレイと、
前記ディスプレイの表示を制御する表示制御手段であって、動画像の再生が始まると、前記外部装置と前記接続部との接続状態を検出し、前記外部装置と前記接続部との接続を検出した場合は、前記外部装置に前記接続部が接続されていない場合より大きく前記動画像を表示し、前記動画像の再生の終了に応じて、前記接続されていない場合に表示されるサイズで画像を前記ディスプレイに表示する表示制御手段と
を備える電子機器。
【請求項２】
前記表示制御手段は、前記動画像を前記ディスプレイの全画面で表示する、請求項１に記載の電子機器。
【請求項３】
前記表示制御手段は、前記外部装置に接続されている場合、前記外部装置に接続されていない場合よりも文字を大きく表示する、請求項１に記載の電子機器。
【請求項４】
前記表示制御手段は、前記外部装置に接続されている場合、前記外部装置に接続されていない場合よりもウィンドウを大きく表示する、請求項１に記載の電子機器。
【請求項５】
前記ディスプレイの輝度を制御する輝度制御手段を更に有し、
前記輝度制御手段は、前記外部装置に接続されている場合、前記外部装置に接続されていない場合よりも高い輝度で表示する、請求項１に記載の電子機器。
【請求項６】
音声を出力するスピーカと、
前記スピーカから出力する音声の音量を制御する音量制御手段と、
を更に有し、
前記音量制御手段は、前記外部装置に接続されている場合、前記外部装置に接続されていない場合よりも音量を大きくする、請求項１に記載の電子機器。
【請求項７】
ディスプレイに画像を表示し、
動画像の再生が始まると、外部装置に着脱可能に接続される接続部と前記外部装置との接続状態を検出し、
前記外部装置と前記接続部との接続を検出した場合、前記外部装置に前記接続部が接続されていない場合よりも前記動画像を大きく前記ディスプレイに表示し、
前記動画像の再生の終了に応じて、前記接続されていない場合に表示されるサイズで画像を前記ディスプレイに表示する、制御方法。
【発明の詳細な説明】
【技術分野】
【０００１】
本発明の実施形態は、電子機器およびその制御方法に関する。
【背景技術】
【０００２】
近年、スレート型と呼ばれる矩形状の扁平な電子機器が登場している。更に、このスレート型の電子機器に併せて、電子機器の充電や、機能の拡張をするためのドッキングステーション（クレードル）も開発されている。
【０００３】
ドッキングステーションに接続された場合と、接続されていない場合とで電子機器の動作設定を変更することは従来から行われている。例えば、特許文献１においては、ドッキングステーションの接続／切り離し情報に基づいて、オーディオコントローラを制御するドライバが開示されている（特許文献１参照）。
【先行技術文献】
【特許文献】
【０００４】
【特許文献１】特開２００３−２２１４９号公報
【発明の概要】
【発明が解決しようとする課題】
【０００５】
スレート型の電子機器のドッキングステーションには、電子機器を立てるように保持し、ディスプレイが水平方向に向くように構成されるものがある。ユーザは、このようなドッキングステーションにおいて、ドッキングステーションに電子機器を装着した状態でディスプレイに表示される動画などを視聴することも可能である。ドッキングステーションに装着した使用形態は、ユーザが手で保持して使用する通常の使用形態に比べて、ユーザと電子機器の距離が長くなる。従って、ユーザがドッキングステーションに装着した使用形態をとる場合、通常の使用形態の画像の大きさや音量のままでは、画像の大きさや音量が小さく、視聴に支障をきたす虞がある。
【０００６】
本発明の目的は、ドッキングステーションに接続した状態であっても最適な視聴ができる電子機器およびその制御方法を提供することである。
【課題を解決するための手段】
【０００７】
実施形態によれば、電子機器は  外部装置に接続可能な接続部と、画像を表示するディスプレイと、前記ディスプレイの表示を制御する表示制御手段であって、動画像の再生が始まると、前記外部装置と前記接続部との接続状態を検出し、前記外部装置と前記接続部との接続を検出した場合は、前記外部装置に前記接続部が接続されていない場合より大きく前記動画像を表示し、前記動画像の再生の終了に応じて、前記接続されていない場合に表示されるサイズで画像を前記ディスプレイに表示する表示制御手段とを備える。
【０００８】
また、実施形態によれば、制御方法は、ディスプレイに画像を表示し、動画像の再生が始まると、外部装置に着脱可能に接続される接続部と前記外部装置との接続状態を検出し、前記外部装置と前記接続部との接続を検出した場合は、前記外部装置に前記接続部が接続されていない場合よりも前記動画像を大きく前記ディスプレイに表示し、前記動画像の再生の終了に応じて、前記接続されていない場合に表示されるサイズで画像を前記ディスプレイに表示する。
【図面の簡単な説明】
【０００９】
【図１】本実施形態における電子機器の使用形態を説明する図。
【図２】本実施形態における電子機器およびドッキングステーションのシステム構成を示すブロック図。
【図３】本実施形態における電子機器における動画再生制御を示す第１の構成図。
【図４】本実施形態における電子機器の動画再生制御手順を示す第１のフローチャート。
【図５】本実施形態における電子機器における動画再生制御を示す第２の構成図。
【図６】本実施形態における電子機器の動画再生制御手順を示す第２のフローチャート。
【発明を実施するための形態】
【００１０】
以下、図面を参照して、実施形態について説明する。
図１は本実施形態における電子機器１の使用形態を説明する図である。はじめに、電子機器１及びドッキングステーション１００の外観構造について説明する。電子機器１は、図１に示すように矩形状の扁平な形状を成している。電子機器１は、所謂スレート型、タブレット型（ソフトキーボードの機能を有した表示装置）等の、パーソナルコンピュータ、テレビ、スマートフォン、携帯電話機などである。
【００１１】
電子機器１は、筐体１ａの表面に露出するように、表示部であるＬＣＤ（Ｌｉｑｕｉｄ  Ｃｒｙｓｔａｌ  Ｄｉｓｐｌａｙ）３、電源スイッチ６、ＬＥＤ（Ｌｉｇｈｔ  Ｅｍｉｔｔｉｎｇ  Ｄｉｏｄｅ）７が設けられている。また、ＬＣＤ３の上面には透明のタッチパネル４が設けられており、ＬＣＤ３とタッチパネル４とによってタッチスクリーンディスプレイが実現されている。そして、このタッチスクリーンディスプレイは、ペン又は指によってタッチされた表示画面上のタッチエリア（タッチ位置とも云う）を検出する。ユーザは、タッチパネル４、電源スイッチ６を操作して各種操作を行う。
【００１２】
電源スイッチ６は、筐体１ａの表面に露出して設けられ、コンピュータ１の電源をオン／オフするための操作入力を受け付ける。ＬＥＤ７は、コンピュータ１の動作状態をユーザに報知するために発光するデバイスである。ＬＥＤ７は、点灯色や点灯／点滅を切り替えることで、様々な動作状態を示すことができる。
【００１３】
電子機器１は、ドッキングステーション１００と接続するためのコネクタ２を有する。コネクタ２は、筐体１ａの側面に設けられた開口部内に設けられ、この開口部から露出している。電子機器１とドッキングステーション１００との間では、コネクタ２（の端子）およびコネクタ１０１（の端子）を介して、一例としては、電源電力や、各種データ、映像信号、音声信号等が送受される。
【００１４】
次に、本実施形態にかかるドッキングステーション１００について説明する。ドッキングステーション１００は、電子機器１が接続されることで、電子機器１が本来有しているコネクタ数を増やしたり、本来有している機能を拡張したり、本来有していない機能を付加したりすることができる。すなわち、ドッキングステーション１００は、電子機器１に対しての機能拡張装置の一例である。
【００１５】
図１に示されるように、本実施形態にかかるドッキングステーション１００は、比較的薄い扁平な電子機器１を、当該電子機器１が立った状態で支える。すなわち、ドッキングステーション１００は、電子機器１の支持装置、保持装置、支持台、支持部、載台、ホルダの一例である。
【００１６】
また、ドッキングステーション１００は、電子機器１のコネクタ（接続部、接続領域）２と接続されるコネクタ（接続部、接続領域）１０１を備えている。ドッキングステーション１００は、コネクタ１０１とコネクタ２とが接続された状態で、電子機器１を支持する。
【００１７】
また、ドッキングステーション１００は、コネクタ１０１以外に、電子機器１のコネクタ２以外のコネクタ（外部コネクタ）と接続するコネクタ（図示されず）を背面に備えている。すなわち、ドッキングステーション１００は、他の電子機器（図示されず）等との間に介在する介在装置の一例である。
【００１８】
そして、上述したように、機能拡張装置、接続装置、介在装置等として機能するため、ドッキングステーション１００の筐体内には、モジュールや部品として、コネクタ１０１の他、回路基板（プリント配線基板）や、電子部品、電気部品、配線等が収容されている。
【００１９】
本実施形態においては図１上段に示す（Ａ）アンドッキング状態と図１下段に示す（Ｂ）ドッキング状態との２つの使用形態がある。（Ａ）アンドッキング状態においては、ユーザが手に電子機器１を保持して使用し、ユーザがタッチパネル４を指などでタッチすることで操作を行う。換言すると、（Ａ）アンドッキング状態がタッチスクリーンを備える電子機器１の通常の使用状態である。
【００２０】
（Ｂ）ドッキング状態においては、電子機器１をドッキングステーション１００に装着し、電子機器１が垂直方向に立った状態になる。従って、使用方法としては、ユーザが離れた位置でディスプレイに表示される動画等を視聴することができる。即ち、（Ｂ）ドッキング状態においては、ユーザ操作は行われず、再生される動画の視聴がメインで行われることになる。ここで、ユーザと電子機器１との距離は、（Ａ）アンドッキング状態よりも（Ｂ）ドッキング状態におけるユーザと電子機器１との距離は相対的に長くなる。従って、（Ａ）アンドッキング状態の画像の大きさや音量は、（Ｂ）ドッキング状態においてはユーザにとって小さい場合がある。即ち、電子機器１からの距離が遠くなるため、画像が見難いことや、字幕などの文字が小さいために判読できないことや、音量が小さく聞き取れないといった事態が生じる。このような不具合を解消する本実施の形態について、以下説明する。
【００２１】
図２は、本実施形態における電子機器１及びドッキングステーション１００のシステム構成を示すブロック図である。
電子機器１は、ＣＰＵ（Ｃｅｎｔｒａｌ  Ｐｒｏｃｅｓｓｉｎｇ  Ｕｎｉｔ）１０、ブリッジデバイス１１、主メモリ１２、グラフィクスコントローラ１３、サウンドコントローラ１４、スピーカ１５、ＳＳＤ（Ｓｏｌｉｄ  Ｓｔａｔｅ  Ｄｒｉｖｅ）１６、ＢＩＯＳ−ＲＯＭ（Ｂａｓｉｃ  Ｉｎｐｕｔ／Ｏｕｔｐｕｔ  Ｓｙｓｔｅｍ−Ｒｅａｄ  Ｏｎｌｙ  Ｍｅｍｏｒｙ）１７、エンベデッドコントローラ（ＥＣ）１８、電源回路２１等を備えている。
【００２２】
ＣＰＵ１０は、本電子機器１の各コンポーネントの動作を制御するプロセッサである。ＣＰＵ１０はＳＳＤ１６から主メモリ１２に読込まれる、オペレーティングシステム（ＯＳ）３０及び各種ユーティリティ／アプリケーションプログラムを実行する。またＣＰＵ１０は、ＢＩＯＳ−ＲＯＭ１７に格納されたＢＩＯＳも実行する。ＢＩＯＳはハードウェアを制御するためのプログラムである。本実施形態において、ＣＰＵ１０は、動画再生アプリケーション３１も実行する。
【００２３】
ＣＰＵ１０は、動画再生アプリケーション３１を実行することで、電子機器１の使用状態に応じて画像や音量の大きさを適切に切り替えることができる。画像としては、動画像や文字が含まれる。また、画像の大きさの切り替え方法としては、画像の一部の拡大、ウィンドウ（画面）の大きさの変更、文字サイズの変更などがある。
【００２４】
ブリッジデバイス１１は、グラフィックスコントローラ１３との通信を実行する機能を有している。グラフィクスコントローラ１３は、コンピュータ１のディスプレイとして使用されるＬＣＤ３を制御する表示コントローラである。
【００２５】
更に、ブリッジデバイス１１には、主メモリ１２を制御するメモリコントローラも内蔵されている。また、ブリッジデバイス１１は、ＰＣＩ（Ｐｅｒｉｐｈｅｒａｌ  Ｃｏｍｐｏｎｅｎｔ  Ｉｎｔｅｒｃｏｎｎｅｃｔ）バス上の各デバイス及びＬＰＣ（Ｌｏｗ  ＰＩＮ  Ｃｏｕｎｔ）バス上の各デバイスとの通信も実行する。
【００２６】
主メモリ１２は、ＣＰＵ１０が実行するＯＳ３０及び各種アプリケーションを読込む一時格納領域であり、当該主メモリ１２には、ＳＳＤ１６に記憶されている、ＯＳ３０及び動画再生アプリケーション３１等のプログラムを読込む。
【００２７】
グラフィクスコントローラ１３は、ブリッジデバイス１１を介してＣＰＵ１０から入力される描画要求に基づいてビデオメモリ（ＶＲＡＭ）に表示データを描画するための表示処理（グラフィクス演算処理）を実行する。ビデオメモリには、ＬＣＤ３に表示される画面イメージに対応する表示データを格納する。
【００２８】
ＳＳＤ１６は、再生動作に関する各種パラメータ情報を格納している。パラメータ情報としては、例えば、字幕サイズ情報１６０と、輝度情報１６１と、音量情報１６２と、画面サイズ情報１６３と、ＤＰＩ値１６４とがある。字幕サイズ情報１６０は、動画像とあわせて表示される字幕の大きさを示すパラメータ値を含んでいる。輝度情報１６１は、ＬＣＤ３の明るさを示すパラメータ値を含んでいる。音量情報１６２は、スピーカ１５から出力される音量を示すパラメータ値を含んでいる。画面サイズ情報１６３は、ＬＣＤ３に表示しているウィンドウ（画面）の大きさを示すパラメータ値を含んでいる。画面サイズ情報のパラメータ値を大きくすることで、例えばフルスクリーン表示に切り替えることができる。ＤＰＩ値１６４は、１インチをいくつの点の集まりとして表現するかを示すパラメータ値である。ＤＰＩ値を大きくすることで、表示する範囲が狭く、即ち拡大表示することが出来る。
【００２９】
動画再生アプリケーション３１は、これら各種パラメータ情報を用いて動画再生を実行する。動画再生アプリケーション３１は、ユーザ操作によって、各種パラメータ情報の設定が変更された場合には、指示されたパラメータ値で再生を行う。また各種パラメータ情報については、ユーザによって指定されたパラメータ値をユーザ設定値として記憶している。初回動作時又はユーザの操作によって変更されていない場合には、ユーザ設定値は出荷時に設定されたパラメータ値と同値である。動画再生アプリケーション３１の各種パラメータ情報を用いた動画再生制御については後で詳述する。
【００３０】
エンベデッドコントローラ（ＥＣ）１８は、ユーザによる電源スイッチ６の操作に応じてコンピュータ１を電源オン／オフする機能を有している。即ち、エンベデッドコントローラ（ＥＣ）１８は、電源回路２１の制御を行う。また、エンベデッドコントローラ（ＥＣ）１８は、ＬＣＤ３に設けられているタッチパネル４を制御するタッチパネルコントローラ１９を含んでいる。エンベデッドコントローラ（ＥＣ）１８は、電子機器１を電源オン／オフに関わらず常に動作している。
【００３１】
エンベデッドコントローラ（ＥＣ）１８は、コネクタ２が第１のコネクタ１０１に接続されたことを検出するドッキング検出部２０を更に有する。即ち、ドッキング検出部２０は、ドッキングステーション１００の装着（ドッキング）／取り外し（アンドッキング）を検出するためのディテクト信号線に接続されている。ドッキングステーション１００が接続されると、ドッキングステーション１００の接地端子に接続されることにより、ディテクト信号はハイレベルからロウレベルに変化する。一方、ドッキングステーション１００の取り外し時には、ドッキングステーション１００の接地端子から分離されるため、電子機器１内のプルアップ抵抗によって、ディテクト信号はロウレベルからハイレベルに変化する。このようなディテクト信号の電位変化に基づいて、ドッキング検出部はドッキングステーション１００の装着／取り外しを検出する。
【００３２】
なお、タッチパネル４は、例えば、抵抗膜方式または静電容量方式等を用いて、タッチパネル（タッチスクリーンディスプレイ）上のタッチエリア（タッチ位置）を検出するように構成されている。
【００３３】
電源回路２１は、外部電源がＡＣアダプタ２３を介して供給されている場合、ＡＣアダプタ２３から供給される外部電源を用いて電子機器１の各コンポーネントに供給すべきシステム電源を生成する。また、電源回路２１は、外部電源がＡＣアダプタ２３を介して供給されていない場合、バッテリ２２を用いてコンピュータ１の各コンポーネントに供給すべきシステム電源を生成する。
【００３４】
ドッキングステーション１００は、第１のコネクタ１０１と、第２のコネクタ１０２と、Ｉ／Ｏコントローラ１０３と、ＥＥＰＲＯＭ１０４とを有する。
第１のコネクタ１０１は電子機器１と接続するためのコネクタであり、第２のコネクタ１０２は他の電子機器（図示されず）と接続するためのコネクタである。
Ｉ／Ｏコントローラ１０３は、コネクタ２に第１のコネクタ１０１が接続されると、電子機器１のＩ／Ｏコントローラとバス信号線を介して電気的に接続される。Ｉ／Ｏコントローラ１０３は、バス信号線を介して各種のデータ及び制御信号などの送受信を行う。
【００３５】
ＥＥＰＲＯＭ１０４は、ドッキングステーション１００の識別情報が格納されている。コネクタ２に第１のコネクタ１０１が接続されると、Ｉ／Ｏコントローラ１０３及びＥＥＰＲＯＭ１０４が電子機器１の電源回路２１と接続され、電源回路２１から電力が供給される。
【００３６】
図３は、本実施形態における電子機器１における動画再生制御を示す第１の構成図である。第１の実施例として、動画再生アプリケーション３１が、字幕サイズ情報１６０と、輝度情報１６１と、音量情報１６２と、画面サイズ情報１６３を用いて行う動画再生制御について説明する。尚、第２の実施例として、ＯＳ３０がＤＰＩ値１６４を用いて行う動画再生制御について後述する。
【００３７】
まず、ＣＰＵ１０は、動画再生アプリケーション３１を実行し、動画データを再生する。次に、ドッキング検出部２０は、ドッキングステーション１００の第１のコネクタ１０１が接続されたことを検出すると、ディテクト信号をＯＳ３０に通知する。ＯＳ３０は、ディテクト信号を動画再生アプリケーションに通知する。動画再生アプリケーション３１は、現在実行中の再生動作に使用しているパラメータ値よりも大きい値に変更する。パラメータ値の変更は、ユーザによって変更するか否かを選択可能としても良いし、動画再生アプリケーション３１が自動で変更するとしても良い。また、動画再生アプリケーション３１は、ユーザによって選択されたパラメータ情報を変更するとしても良いし、全てのパラメータ情報を自動的に変更するとしても良い。変更するパラメータ情報をユーザで選択する場合、例えば、音量だけを大きく変更し画像の大きさは維持するなどといった、ユーザの嗜好に合わせた制御が可能である。
【００３８】
動画再生アプリケーション３１は、変更後のパラメータ値をＯＳ３０に通知する。ＯＳ３０は、通知されたパラメータ値を用いて、サウンドコントローラ１４やグラフィックスコントローラ１３を制御する。以上の制御により、ドッキング状態において、字幕のサイズ、輝度、音量、及び画面サイズを大きくすることができる。
【００３９】
図４は、本実施形態における電子機器１の動画再生制御手順を示す第１のフローチャートである。まず、動画再生アプリケーション３１は、動画再生を実行する（ステップＳ１０１）。次に、ドッキング検出部２０は、ドッキング状態であるか否かを判別する（ステップＳ１０２）。即ち、ドッキング検出部２０は、コネクタ２に第１のコネクタ１０１が接続されたことをディテクト信号線の電位変化から検出する。ステップＳ１０２で判別した結果、ドッキング状態であると判別した場合（ステップＳ１０２のＹｅｓ）、パラメータ値をユーザ設定値よりも大きく設定する（ステップＳ１０３）。即ち、ドッキング状態においては、字幕サイズ、音量、画面サイズが大きく、またＬＣＤ３の輝度が高くなる。
【００４０】
一方、ステップＳ１０２で判別した結果、ドッキング状態でないと判別した場合（ステップＳ１０２のＮｏ）、動画再生アプリケーション３１は、パラメータ値をユーザ設定値に設定する（ステップＳ１０４）。即ち、アンドッキング状態においては、各種パラメータ情報は変更されずユーザが設定した状態の再生が継続する。
【００４１】
次に、動画再生アプリケーション３１は、動画再生が終了したか否かを判別する（ステップＳ１０５）。ステップＳ１０５で判別した結果、動画再生が終了していないと判別した場合（ステップＳ１０５のＮｏ）、ステップＳ１０２に遷移する。一方、ステップＳ１０５で判別した結果、動画再生が終了したと判別した場合（ステップＳ１０５のＹｅｓ）、次に、動画再生アプリケーション３１は、パラメータ値がユーザ設定値に設定されているか否かを判別する（ステップＳ１０６）。ステップＳ１０６で判別した結果、パラメータ値がユーザ設定値に設定されていると判別した場合（ステップＳ１０６のＹｅｓ）、本動画再生制御手順を終了する。一方、ステップＳ１０６で判別した結果、パラメータ値がユーザ設定値に設定されていないと判別した場合（ステップＳ１０６のＮｏ）、動画再生アプリケーション３１は、パラメータ値をユーザ設定値に設定する（ステップＳ１０７）。即ち、動画再生が終了するとユーザ設定の画像または音量の大きさに戻る。以上で本動画再生制御手順を終了する。
【００４２】
以上のように、第１の実施形態における動画再生においては、動画再生アプリケーション３１が各種パラメータ情報をドッキング／アンドッキング状態の切り替えに応じて変更する。従って、ドッキング状態で動画再生する場合には、字幕サイズ、輝度、音量、画面サイズなどが大きく設定されるため、電子機器１から離れた位置においても視聴に支障をきたすことがない。
【００４３】
次に、第２の実施形態について説明する。図５は、本実施形態における電子機器１における動画再生制御を示す第２の構成図である。まず、ドッキング検出部２０は、ドッキングステーション１００の第１のコネクタ１０１が接続されたことを検出すると、ディテクト信号をＯＳ３０に通知する。
【００４４】
ＯＳ３０は、ディテクト信号が通知されると、ＤＰＩ値を現在の表示に使用している値よりも大きく変更する。以上の制御により、ドッキング状態において、表示を拡大することができる。
【００４５】
図６は、本実施形態における電子機器１の動画再生制御手順を示す第２のフローチャートである。まず、ドッキング検出部２０は、ドッキング状態であるか否かを判別する（ステップＳ２０１）。即ち、ドッキング検出部２０は、コネクタ２に第１のコネクタ１０１が接続されたことをディテクト信号線の電位変化から検出する。ステップＳ２０１で判別した結果、ドッキング状態であると判別した場合（ステップＳ２０１のＹｅｓ）、ＤＰＩ値１６４をユーザ設定値よりも大きく設定する（ステップＳ２０２）。即ち、ドッキング状態においては、画面が拡大される。
【００４６】
一方、ステップＳ２０１で判別した結果、ドッキング状態でないと判別した場合（ステップＳ２０１のＮｏ）、ＯＳ３０は、ＤＰＩ値をユーザ設定値に設定する（ステップＳ２０３）。即ち、アンドッキング状態においては、ＤＰＩ値は変更されずユーザが設定した状態の再生が継続する。
【００４７】
以上のように、第２の実施形態における動画再生においては、ＯＳ３０がＤＰＩ値をドッキング／アンドッキング状態の切り替えに応じて変更する。従って、ドッキング状態における画面表示が拡大されるため、電子機器１から離れた位置においても視聴に支障をきたすことがない。
【００４８】
以上の説明においては、パラメータ情報やＤＰＩ値を変更することで、画像や音量を大きく変更する形態を例に説明したが、これに限定されることはない。電子機器１内の内部的な処理については他の形態でも良く、ドッキング状態においてアンドッキング状態よりも画像や音量が大きく変更されれば良い。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１…電子機器、１ａ…筐体、２…コネクタ、３…ＬＣＤ、４…タッチパネル、６…電源スイッチ、７…ＬＥＤ、１０…ＣＰＵ、１１…ブリッジデバイス、１２…主メモリ、１３…グラフィクスコントローラ、１４…サウンドコントローラ、１５…スピーカ、１６…ＳＳＤ、１７…ＢＩＯＳ−ＲＯＭ、１８…エンベデッドコントローラ（ＥＣ）、１９…タッチパネルコントローラ、２０…ドッキング検出部、２１…電源回路、２２…ＡＣアダプタ、２３…バッテリ、３０…ＯＳ、３１…動画再生アプリケーション、１００…ドッキングステーション、１０１…第１のコネクタ、１０２…第２のコネクタ、１０３…Ｉ／Ｏコントローラ、１０４…ＥＥＰＲＯＭ。
【図１】
0005269166.tif 000002
【図２】
0005269166.tif 000003
【図３】
0005269166.tif 000004
【図４】
0005269166.tif 000005
【図５】
0005269166.tif 000006
【図６】
0005269166.tif 000007